(57)【要約】【課題】  隣接画素との混色を低減させて、光透過率を向上させた液晶表示装置の提供。【解決手段】  液晶を挟持して対向配置される一対の基板を備え、  前記一対の基板のうちの一方の基板の前記液晶側の面に、異なる色のカラーフィルタが形成され、  それぞれのカラーフィルタは、少なくとも、隣接する他の色の異なるカラーフィルタとの間に透光間隙部を有する。【選択図】図１
2010072506.tif 000002
【特許請求の範囲】
【請求項１】
液晶を挟持して対向配置される一対の基板を備え、
前記一対の基板のうちの一方の基板の前記液晶側の面に、異なる色のカラーフィルタが形成され、
それぞれのカラーフィルタは、少なくとも、隣接する他の色の異なるカラーフィルタとの間に透光間隙部を有することを特徴とする液晶表示装置。
【請求項２】
前記一対の基板のうち他方の基板の液晶側の面に、一方向に延在する複数のゲート信号線と前記一方向に交差する方向に延在する複数のドレイン信号線とが形成され、隣接する一対のゲート信号線と隣接する一対のドレイン信号線とで囲まれた領域を画素領域とし、
前記一方の基板の液晶側の面に、隣接する一対の前記ドレイン信号線の間の領域と対向する領域に前記ドレイン信号線に沿って同色のカラーフィルタが形成され、少なくとも、隣接する他の色の異なるカラーフィルタとの間に透光間隙部を有することを特徴とする請求項１に記載の液晶表示装置。
【請求項３】
前記カラーフィルタは、それぞれ、赤色、緑色、および青色を呈し、
これらの色は、前記ドレイン信号線に沿って形成され、前記ドレイン信号線と交差する方向に隣接して並設される３つの各カラーフィルタにあてがわれていることを特徴とする請求項２に記載の液晶表示装置。
【請求項４】
前記他方の基板の液晶側の面の画素領域に、一対の電極を有し、この一対の電極のうち一方の電極は透明導電膜からなる面状電極からなり、他方の電極は、前記一方の電極を被って形成された絶縁膜上に前記一方の電極と重畳して並設された複数の線状の電極からなることを特徴とする請求項２に記載の液晶表示装置。
【請求項５】
液晶を挟持して対向配置される一対の基板の間に複数の画素が形成され、これら画素に備えられる一対の電極に印加する電圧によって、当該画素の液晶を駆動させる液晶表示装置であって、
前記一対の基板のうち一方の基板の液晶側の面に形成された異なる色のカラーフィルタは、少なくとも、隣接する他の色の異なるカラーフィルタとの間に透光間隙部を有し、
各画素に印加する電圧の範囲によって複数の異なる表示モードを設定できるようにするともに、前記各表示モードの切り替えを制御する回路を備えていることを特徴とする液晶表示装置。
【請求項６】
前記一対の基板のうち他方の基板の液晶側の面に、一方向に延在する複数のゲート信号線と前記一方向に交差する方向に延在する複数のドレイン信号線とが形成され、隣接する一対のゲート信号線と隣接する一対のドレイン信号線とで囲まれた領域を画素領域とし、
前記一方の基板の液晶側の面に、隣接する一対の前記ドレイン信号線の間の領域と対向する領域に前記ドレイン信号線に沿って同色のカラーフィルタが形成され、少なくとも、隣接する他の色の異なるカラーフィルタとの間に透光間隙部を有することを特徴とする請求項５に記載の液晶表示装置。
【請求項７】
前記カラーフィルタは、それぞれ、赤色、緑色、および青色を呈し、
これらの色は、前記ドレイン信号線に沿って形成され、前記ドレイン信号線と交差する方向に隣接して並設される３つの各カラーフィルタにあてがわれていることを特徴とする請求項６に記載の液晶表示装置。
【請求項８】
前記他方の基板の液晶側の面の画素領域に、一対の電極を有し、この一対の電極のうち一方の電極は透明導電膜からなる面状電極からなり、他方の電極は、前記一方の電極を被って形成された絶縁膜上に前記一方の電極と重畳して並設された複数の線状の電極からなることを特徴とする請求項６に記載の液晶表示装置。
【発明の詳細な説明】
【技術分野】
【０００１】
本発明は液晶表示装置に係り、特に、カラー表示用の液晶表示装置に関する。
【背景技術】
【０００２】
液晶表示パネルは、液晶を挟持して対向配置された一対の基板を外囲器とし、液晶の広がり方向に形成した各画素において液晶の光透過率を制御できるように構成されている。
【０００３】
各画素には、一対の電極が備えられ、これらの電極に電圧を印加することにより発生する電界によって、液晶の分子が駆動し、この液晶および一対の基板の液晶と反対側の面に配置された偏光板を通過する光において液晶の分子の駆動に対応した光透過率を得るようになっている。
【０００４】
このことから、液晶表示装置は、通常、液晶表示パネルの背面にバックライトを備えて構成される。
【０００５】
また、カラー表示用の液晶表示パネルは、その一対の基板のうち一方の基板の液晶側の面において、隣接して並設される３個の画素ごとに、それぞれ、赤色、緑色、および青色のカラーフィルタが形成され、これら３個の画素をカラー表示の単位画素として用いるようになっている。
【０００６】
単位画素を構成する３個の各画素において、それぞれ、赤色のカラーフィルタを通した光、緑色のカラーフィルタを通した光、および青色のカラーフィルタを通して光が、それぞれ、光の量の割合に応じて所定の色を呈するようになっている。
【０００７】
なお、従来、色の異なるカラーフィルタの間にはブラックマトリックスと称される遮光膜を形成し、これにより、表示のコントラストを向上させるようにしている（下記特許文献１、２参照）。
【特許文献１】特開平１１−３８４２６号公報
【特許文献２】特開２００５−８４０９７号公報
【発明の開示】
【発明が解決しようとする課題】
【０００８】
上述のようなカラー表示用の液晶表示装置は、近年において、飛躍的な高精細化が進み、各画素の占める面積が小さく構成されてきている。
【０００９】
しかし、このような高精細化が進む一方において、液晶表示パネルの光の透過率が低下してきているということが指摘されるに至っている。
【００１０】
これは、各画素の開口率の向上の確保と隣接画素とのいわゆる混色の防止の両立が極めて困難であることに原因する。すなわち、隣接画素との混色の防止を図るため、隣接画素との間を広く確保（ブラックマトリックスの幅を大きく）しようとした場合、それに応じて、各画素の開口率を低減させなければならなくなる関係にある。
【００１１】
ここで、混色とは、ある画素の液晶を駆動（ＯＮ）させた場合、その電界によって、液晶を非駆動（ＯＦＦ）させている隣接画素の一部の液晶を駆動させてしまい、当該画素の色に前記隣接画素の色が混ざってしまう現象をいう。
【００１２】
本発明の目的は、隣接画素との混色を低減させて、光透過率を向上させた液晶表示装置を提供することにある。
【課題を解決するための手段】
【００１３】
本発明の液晶表示装置は、各カラーフィルタにおいて、少なくとも、隣接する他の色の異なるカラーフィルタとの間に白色光が透過し得る透光間隙部を形成するようにしたものである。
【００１４】
本発明の構成は、たとえば、以下のようなものとすることができる。
【００１５】
（１）本発明の液晶表示装置は、たとえば、液晶を挟持して対向配置される一対の基板を備え、
前記一対の基板のうちの一方の基板の前記液晶側の面に、異なる色のカラーフィルタが形成され、
それぞれのカラーフィルタは、少なくとも、隣接する他の色の異なるカラーフィルタとの間に透光間隙部を有することを特徴とする。
【００１６】
（２）本発明の液晶表示装置は、たとえば、（１）において、前記一対の基板のうち他方の基板の液晶側の面に、一方向に延在する複数のゲート信号線と前記一方向に交差する方向に延在する複数のドレイン信号線とが形成され、隣接する一対のゲート信号線と隣接する一対のドレイン信号線とで囲まれた領域を画素領域とし、
前記一方の基板の液晶側の面に、隣接する一対の前記ドレイン信号線の間の領域と対向する領域に前記ドレイン信号線に沿って同色のカラーフィルタが形成され、少なくとも、隣接する他の色の異なるカラーフィルタとの間に透光間隙部を有することを特徴とする。
【００１７】
（３）本発明の液晶表示装置は、たとえば、（２）において、前記カラーフィルタは、それぞれ、赤色、緑色、および青色を呈し、
これらの色は、前記ドレイン信号線に沿って形成され、前記ドレイン信号線と交差する方向に隣接して並設される３つの各カラーフィルタにあてがわれていることを特徴とする。
【００１８】
（４）本発明の液晶表示装置は、たとえば、（２）において、前記他方の基板の液晶側の面の画素領域に、一対の電極を有し、この一対の電極のうち一方の電極は透明導電膜からなる面状電極からなり、他方の電極は、前記一方の電極を被って形成された絶縁膜上に前記一方の電極と重畳して並設された複数の線状の電極からなることを特徴とする。
【００１９】
（５）本発明の液晶表示装置は、たとえば、液晶を挟持して対向配置される一対の基板の間に複数の画素が形成され、これら画素に備えられる一対の電極に印加する電圧によって、当該画素の液晶を駆動させる液晶表示装置であって、
前記一対の基板のうち一方の基板の液晶側の面に形成された異なる色のカラーフィルタは、少なくとも、隣接する他の色の異なるカラーフィルタとの間に透光間隙部を有し、
各画素に印加する電圧の範囲によって複数の異なる表示モードを設定できるようにするともに、前記各表示モードの切り替えを制御する回路を備えていることを特徴とする。
【００２０】
（６）本発明の液晶表示装置は、たとえば、（５）において、前記一対の基板のうち他方の基板の液晶側の面に、一方向に延在する複数のゲート信号線と前記一方向に交差する方向に延在する複数のドレイン信号線とが形成され、隣接する一対のゲート信号線と隣接する一対のドレイン信号線とで囲まれた領域を画素領域とし、
前記一方の基板の液晶側の面に、隣接する一対の前記ドレイン信号線の間の領域と対向する領域に前記ドレイン信号線に沿って同色のカラーフィルタが形成され、少なくとも、隣接する他の色の異なるカラーフィルタとの間に透光間隙部を有することを特徴とする。
【００２１】
（７）本発明の液晶表示装置は、たとえば、（６）において、前記カラーフィルタは、それぞれ、赤色、緑色、および青色を呈し、
これらの色は、前記ドレイン信号線に沿って形成され、前記ドレイン信号線と交差する方向に隣接して並設される３つの各カラーフィルタにあてがわれていることを特徴とする。
【００２２】
（８）本発明の液晶表示装置は、たとえば、（６）において、前記他方の基板の液晶側の面の画素領域に、一対の電極を有し、この一対の電極のうち一方の電極は透明導電膜からなる面状電極からなり、他方の電極は、前記一方の電極を被って形成された絶縁膜上に前記一方の電極と重畳して並設された複数の線状の電極からなることを特徴とする。
【００２３】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００２４】
このように構成した液晶表示装置は、隣接画素との混色を低減させて、光透過率を向上させることができる。
【００２５】
本発明のその他の効果については、明細書全体の記載から明らかにされる。
【発明を実施するための最良の形態】
【００２６】
本発明の実施例を図面を参照しながら説明する。なお、各図および各実施例において、同一または類似の構成要素には同じ符号を付し、説明を省略する。
【００２７】
〈実施例１〉
図２は、本発明の液晶表示装置の実施例１の構成を示す平面図である。図２は、液晶を挟持して対向配置される一対の基板のうち一方の基板ＳＵＢ１の液晶側からみた平面図である。また、図１は、図２のI−I線における断面を示す図で、他方の基板ＳＵＢ２とともに示している。
【００２８】
まず、基板ＳＵＢ１の表面には、第１下地膜ＧＤＬ１（図１参照）、第２下地膜ＧＤＬ２（図１参照）の順次積層膜の上面に形成されている。第１下地膜ＧＤＬ１、第２下地膜ＧＤＬ２は、基板ＳＵＢ１内の不純物が後述の薄膜トランジスタＴＦＴの半導体層ＰＳに侵入するのを防止する膜として機能する。
【００２９】
第２下地膜ＧＤＬの表面であって薄膜トランジスタＴＦＴの形成領域にたとえばポリＳｉからなる多結晶の半導体層ＰＳが形成されている。この半導体層ＰＳは、当該画素に対して図中下側の画素の領域にも及び、後述のゲート信号線ＧＬを２回交差できるように"コ"字状パターンで形成されている。
【００３０】
半導体層ＰＳが形成された基板ＳＵＢ１の表面には、該半導体層ＰＳをも被って絶縁膜ＧＩ（図１参照）が形成されている。この絶縁膜ＧＩは薄膜トランジスタＴＦＴの形成領域において該薄膜トランジスタＴＦＴのゲート絶縁膜として機能する。
【００３１】
絶縁膜ＧＩの表面には、図中ｘ方向に延在しｙ方向に並設されるゲート信号線ＧＬが形成されている。このゲート信号線ＧＬは後述のドレイン信号線ＤＬとともに画素の領域を囲むように構成される。ゲート信号線ＧＬは、前記半導体層ＰＳを２回交差するようにして形成される。なお、前記半導体層ＰＳは、このゲート信号線ＧＬの形成の後において、このゲート信号線ＧＬをマスクとして不純物がドープされるようになっている。これにより、前記半導体層ＰＳにおいて、ゲート信号線ＧＬの直下にチャネル領域が形成されることになる。
【００３２】
ゲート信号線ＧＬが形成された基板ＳＵＢ１の表面には、該ゲート信号線ＧＬをも被って第１層間絶縁膜ＩＮ１（図１参照）が形成されている。そして、この第１層間絶縁膜ＩＮ１の表面には、図中ｙ方向に延在しｘ方向に並設されるドレイン信号線ＤＬが形成されている。この場合、ドレイン信号線ＤＬは、第１層間絶縁膜ＩＮ１に予め形成されているスルーホールを通して半導体層ＰＳの一端に電気的に接続されるようになっている。このドレイン信号線ＤＬの半導体層ＰＳとの電気的接続部は薄膜トランジスタＴＦＴのドレイン電極ＤＴを構成するようになっている。
【００３３】
また、ドレイン信号線ＤＬの形成の際に同時に薄膜トランジスタＴＦＴのソース電極ＳＴが形成され、このソース電極ＳＴは第１層間絶縁膜ＩＮ１に予め形成されているスルーホールを通して半導体層ＰＳの他端に電気的に接続されるようになっている。このソース電極ＳＴは後述の画素電極ＰＸと電気的に接続されるようになっている。
【００３４】
ドレイン信号線ＤＬ、ソース電極ＳＴが形成された基板ＳＵＢ１の表面には、第２層間絶縁膜ＩＮ２、第３層間絶縁膜ＩＮ３が順次形成されている。これら第２層間絶縁膜ＩＮ２、第３層間絶縁膜ＩＮ３は薄膜トランジスタＴＦＴを液晶との直接の接触を回避する保護膜として機能する。第２層間絶縁膜ＩＮ２を無機材料層、第３層間絶縁膜ＩＮ３を有機材料層とすることによって、保護膜の表面を平坦化することができる。
【００３５】
第３層間絶縁膜ＩＮ３の表面に隣接する他の画素領域にも及んで、たとえばＩＴＯ（Indium Tin Oxide）からなる透明導電膜の形成によって対向電極ＣＴを形成する。この対向電極ＣＴには映像信号に対して基準となる基準信号が供給されるようになっている。
【００３６】
対向電極ＣＴが形成された基板ＳＵＢ１の表面には第４層間絶縁膜ＩＮ４が形成されている。そして、この第４層間絶縁膜ＩＮ４の表面には、画素領域ごとにたとえばＩＴＯ（Indium Tin Oxide）の透明導電膜からなる画素電極ＰＸが形成されている。この画素電極ＰＸは、たとえば、図中ｙ方向に延在しｘ方向に並設（図中ではたとえば２個）される線状の電極からなり、薄膜トランジスタＴＦＴ側の端部で互いに接続され、この接続部において、第４層間絶縁膜ＩＮ４、第３層間絶縁膜ＩＮ３、および第２層間絶縁膜ＩＮ２に予め形成されているスルーホールを通して前記薄膜トランジスタＴＦＴのソース電極ＳＴに電気的に接続されるようになっている。この場合、前記画素電極ＰＸの対向電極ＣＴとの電気的導通を回避するため、対向電極ＣＴは前記スルーホールを含む周辺に孔（図１中、符号ＨＬで示す）が形成されている。
【００３７】
画素電極ＰＸと対向電極ＣＴには基板ＳＵＢ１の面に平行な成分を有する電界が生じ、この電界によって液晶ＬＣの分子を駆動させるようになっている。このような駆動による表示は、ＩＰＳ（In Plane Switching）方式、あるいは横電界方式と称されている。
【００３８】
画素電極ＰＸが形成された基板ＳＵＢ１の表面には、該画素電極ＰＸをも被って配向膜ＯＲＩ１が形成されている。後述の基板ＳＵＢ２の液晶側の面に形成される他の配向膜ＯＲＩ２とともに液晶ＬＣの初期配向方向を決定させる機能を有する。
【００３９】
基板ＳＵＢ１と液晶ＬＣを介して対向配置される基板ＳＵＢ２は、図１に示すように、その液晶ＬＣ側の面において、カラーフィルタＣＦが形成されている。図１において、基板ＳＵＢ１側には、３個の画素が並設されて示されており、それぞれの画素と対向する基板ＳＵＢ２の面に、図中左側から、たとえば、緑色（Ｇ）のカラーフィルタ（図中ＣＦｇで示す）、赤色（Ｒ）のカラーフィルタ（図中ＣＦｒで示す）、青色（Ｂ）のカラーフィルタ（図中ＶＣＦｂで示す）が形成されている。
【００４０】
この場合、各カラーフィルタＣＦは、隣接する他の色のカラーフィルタＣＦと間隙を有して配置され、これらの間隙部は、各カラーフィルタＣＦをも被って形成される平坦化膜ＯＣの材料が充填されるようにして構成されている。平坦化膜ＯＣは塗布によって形成できるたとえば樹脂材から構成され、透光性を有するようになっている。このことから、各カラーフィルタＣＦは、異なる他の色の隣接するカラーフィルタＣＦとの間に透光性の間隙部（以下、透光間隙部ＧＴと称する）を有するようになっている。
【００４１】
すなわち、異なる色の隣接するカラーフィルタＣＦの間は、従来のように遮光膜（ブラックマトリックス）が形成され、あるいは隣接する各カラーフィルタＣＦが互いに当接するまで延在して形成されるようなことはなく、バックライトＢＬからの白色光が透過できる領域となっている。図２では、各カラーフィルタＣＦを、基板ＳＵＢ１側の各画素との位置的関係を明確にするため、基板ＳＵＢ１に重ねて描画（点線枠で示す）している。図２において、隣接する各ドレイン信号線ＤＬの間の領域に該ドレイン信号線ＤＬに沿って延在する帯状の各カラーフィルタＣＦが形成され、これにより、図中ｙ方向に並設される各画素において同じ色を担当するように構成している。そして、図２から明らかとなるように、緑色のカラーフィルタＣＦｇと赤色のカラーフィルタＣＦｒの間、赤色のカラーフィルタＣＦｒと青色のカラーフィルタＣＦｂの間、青色のカラーフィルタＣＦｂと緑色のカラーフィルタＣＦｇの間は、それぞれ、ドレイン信号線ＤＬを中心に配置させ、該ドレイン信号線ＤＬの幅よりも大きな幅を有する透光間隙部ＴＧが形成されるようになっている。なお、平坦化膜ＯＣの表面には配向膜ＯＲＩ２が形成されている。
【００４２】
このように構成された液晶表示装置は、ある画素の液晶を駆動（ＯＮ）させた場合、その電界によって、液晶を非駆動（ＯＦＦ）させている隣接画素の一部の液晶を駆動させてしまっても、その大部分は透光間隙部ＴＧの領域に該当し、当該画素の色に白色が混ざるにすぎないものとなる。このため、前記隣接画素の色が混ざる割合を十分に抑制することができる。このことは、透光間隙部ＴＧの幅を大きくする必要はなく、したがって、画素の開口率を減少させる必要もなくなる。また、当該画素の色に白色が混ざることによって、当該画素の光透過率を向上させ、明るい画像を表示させることができる。
【００４３】
〈実施例２〉
図３は、実施例１に示した構成の液晶表示装置を用い、必要に応じて、輝度を重視した表示および色再現性を向上させた表示を、切り替えるように構成した実施例を示す図である。
【００４４】
図３（ａ）は、図３（ｂ）に示す液晶表示装置の透過効率を示したグラフを示している。同グラフの横軸は位置（μｍ）を、縦軸は透過効率（ａ．ｕ．）を示している。横軸の位置は、図３（ｂ）に示した液晶表示装置に対応させて示している。
【００４５】
図３（ｂ）に示した液晶表示装置は、たとえば赤色のカラーフィルタＣＦｒを備える画素の部分を示し、実施例１で説明したように、該カラーフィルタＣＦｒの両脇に、それぞれ、透光間隙部ＴＧを介して、緑色のカラーフィルタＣＦｇ、および青色のカラーフィルタＤＦｂが配置されている。なお、この液晶表示装置は基板ＳＵＢ１の液晶ＬＣと反対側の面にバックライトＢＬを備えて構成されている。
【００４６】
図３（ａ）は、画素の画素電極ＰＸと対向電極ＣＴとの間に印加する電圧範囲の相違によって異なる表示モードを示している。すなわち、両電極にたとえば最高２Ｖの電圧を印加して行う第１モードＭＤ１の表示、両電極にたとえば最高４Ｖの電圧を印加して行う第２モードＭＤ２の表示、両電極にたとえば最高５Ｖの電圧を印加して行う第３モードＭＤ３の表示を示している。
【００４７】
この場合、第１モードＭＤ１の表示は、透過効率が低く、カラーフィルタＣＦｒからはみ出した透光間隙部ＴＧにおいて透過効率がほぼ０になっていることが判る。すなわち、該透光間隙部ＴＧにおいてはバックライトＢＬからの白色光が透過し得ないようになる。このことから、輝度は低いが、色再現性を向上させた表示を行うことができるようになる。暗い環境下で液晶表示装置を観察する場合において極めて好適となる。そして、第３モードＭＤ３の表示は、透過効率が高く、カラーフィルタＣＦｒからはみ出した透光間隙部ＴＧにおいても、若干の透過効率を有するようになることが判る。すなわち、該透光間隙部ＴＧにおいてはバックライトＢＬからの白色光が若干透過し得るようになる。このことから、色再現性は低いが、輝度を重視させた表示を行うことができるようになる。明るい環境下で液晶表示装置を観察する場合において極めて好適となる。第２モードＭＤ２の表示は、第１モードＭＤ１の表示と第３モードＭＤ３の表示の中間の性質を有する表示がなされるようになる。
【００４８】
このように、各画素に印加する電圧の範囲によって複数の異なる表示モードを設定できるようにするともに、前記各表示モードの切り替えを制御する回路を具備させることにより、必要に応じて、輝度を重視した表示および色再現性を向上させた表示を観察できるようになる。
【００４９】
図３における説明では、３段階の表示モードに切り替えるようにしているが、２段階で切り替えるようにしても、あるいは４段階以上に切り替えるように構成してもよい。
【００５０】
このように、画素の画素電極ＰＸと対向電極ＣＴとの間に印加する電圧範囲を制御して変えることにより、輝度重視および色再現性重視の割合を任意に可変できるように構成でき、表示の多様性を期すことができる。
【００５１】
〈実施例３〉
図４は、本発明の実施例３を示す概略平面図で、図中ｘ方向に並設させて形成される各画素とカラーフィルタとの関係を示す図である。
【００５２】
図２では、図中ｘ方向に並設される画素において、たとえば、その左側から、順次、緑色のカラーフィルタＣＦｇ、赤色のカラーフィルタＣＦｒ、青色のカラーフィルタＣＦｂ、緑色のカラーフィルタＣＦｇ、赤色のカラーフィルタＣＦｒ、……、が形成された構成となっている。このため、各カラーフィルタは、全て、隣接する他のカラーフィルタと色が異なっている。このことから、混色を防止するためには、各カラーフィルタにおいて、隣接する他のカラーフィルタとの間には透光間隙部ＴＧを形成することが好ましくなる。
【００５３】
これに対し、図４では、図中ｘ方向に並設される画素において、その左側から、順次、赤色のカラーフィルタＣＦｒ、緑色のカラーフィルタＣＦｇ、青色のカラーフィルタＣＦｂ、青色のカラーフィルタＣＦｂ、緑色のカラーフィルタＣＦｇ、赤色のカラーフィルタＣＦｒ、赤色のカラーフィルタＣＦｒ、……が形成された構成となっている。各単位画素ＣＰＩＸにおいて、カラーフィルタの配列の順番が不規則になっており、図中左側から、赤色のカラーフィルタＣＦｒ、緑色のカラーフィルタＣＦｇ、および青色のカラーフィルタＣＦｂでカラー表示の単位画素ＣＰＩＸを構成し、次の、青色のカラーフィルタＣＦｂ、緑色のカラーフィルタＣＦｇ、および赤色のカラーフィルタＣＦｒでカラー表示の単位画素ＣＰＩＸを構成している。このため、最初の単位画素ＣＰＩＸと次の単位画素ＣＰＩＸの間において、青色のカラーフィルタＣＦｂが隣合わせで配置され、また、さらに次の単位画素ＣＰＩＸとの間には、赤色のカラーフィルタＣＦｒが隣合わせで配置されることになる。
【００５４】
この場合のように、隣接するカラーフィルタが同じ色の場合、それらの間に混色がないことから、各カラーフィルタの間（図中点線枠で示す）に、上述したような透光間隙部を設けるようにしなくてもよい。
【００５５】
上述した実施例は、ＩＰＳあるいは横電界方式と称される液晶表示装置を例に挙げて説明したものである。しかし、これに限定されることはなく、たとえばＴＮ（Twisted Nematic）方式あるいは縦電界方式と称される液晶表示装置にあっても適用できる。
【図面の簡単な説明】
【００５６】
【図１】本発明の液晶表示装置の実施例１を示す断面図で、図２のI−I線における断面図である。
【図２】本発明の液晶表示装置の実施例１を示す平面図である。
【図３】本発明の液晶表示装置の実施例２を示す説明図である。
【図４】本発明の液晶表示装置の実施例３を示す平面図である。
【符号の説明】
【００５７】
ＳＵＢ１、ＳＵＢ２……基板、ＧＬ……ゲート信号線、ＤＬ……ドレイン信号線、ＴＦＴ……薄膜トランジスタ、ＰＳ……半導体層、ＤＴ……ドレイン電極、ＳＴ……ソース電極、ＰＸ……画素電極、ＣＴ……対向電極、ＣＦｇ……緑色のカラーフィルタ、ＣＦｒ……赤色のカラーフィルタ、ＣＦｂ……青色のカラーフィルタ、ＴＧ……透光間隙部、ＧＤＬ１、ＧＤＬ２……下地膜、ＧＩ……絶縁膜、ＩＮ１、ＩＮ２、ＩＮ３、ＩＮ４……層間絶縁膜、ＯＲＩ１、ＯＲＩ２……配向膜、ＯＣ……平坦化膜、ＢＬ……バックライト、ＭＤ１、ＭＤ２、ＭＤ３……表示モード、ＣＰＩＸ……カラー表示の単位画素。
【図１】
2010072506.tif 000003
【図２】
2010072506.tif 000004
【図３】
2010072506.tif 000005
【図４】
2010072506.tif 000006